(57)【要約】      （修正有）【課題】帽子を被っての散歩途中等において、帽子が風で飛ばされないようにした帽子を提供する。【解決手段】本体部１と、本体部１に必要に応じて設けられた鍔等４としての鍔又は庇とを有する帽子１０であって、本体部１の左側面Ｌ及び右側面Ｒに設けられて、髪クリップが係止された状態で髪クリップを本体部の表面から本体部の裏面に貫通する貫通スリット２と、貫通スリット２又はその周縁に設けられて、髪クリップを係止する髪クリップ係止部とを有する。髪クリップ係止部は、貫通スリット２に隣接して又は貫通スリット２を横断して設けられている。【選択図】図１
0003226214.tif 000002
【実用新案登録請求の範囲】
【請求項１】
本体部と、該本体部に必要に応じて設けられた鍔又は庇とを有する帽子であって、前記本体部の左側面及び右側面に設けられて、髪クリップが係止された状態で該髪クリップが前記本体部の表面から前記本体部の裏面に貫通する貫通スリットと、前記貫通スリット又はその周縁に設けられて、前記髪クリップを係止する髪クリップ係止部と、を有する、ことを特徴とする帽子。
【請求項２】
前記髪クリップ係止部は、前記貫通スリットに隣接して又は前記貫通スリットを横断して設けられている、請求項１に記載の帽子。
【請求項３】
前記貫通スリットは、前記本体部の頂部から前後方向仮想線と左右方向仮想線とを直交させた場合、前記左右方向仮想線から前方に０°〜４５°の範囲内に設けられ、且つ、前記頂部から前記鍔又は庇の方向に４５°〜９０°の範囲内に設けられ、前記貫通スリットは、左右対称に設けられている、請求項１又は２に記載の帽子。
【請求項４】
前記髪クリップ係止部は、前記本体部の生地よりも厚い生地からなり、該厚い生地からなる髪クリップ係止部の範囲は、前記貫通スリットの２〜５倍の面積で構成されている、請求項１〜３のいずれか１項に記載の帽子。
【考案の詳細な説明】
【技術分野】
【０００１】
本考案は、散歩等で外出した際に風で吹き飛ばされるのを防ぐことができる帽子に関する。
【背景技術】
【０００２】
帽子を被っての散歩途中等において、帽子が風で飛ばされてしまうことがある。こうした問題に対し、風で飛ばされないようにした帽子について幾つか提案されている。
【０００３】
例えば特許文献１には、高級感を損なわずにクリップ付きの紐を帽子に直接組み込むようにし、さらに、通常はその紐が表から見えず、且つ必要のあるときだけ引き出して使えるようにした帽子が提案されている。この帽子は、帽子のサイドクラウンの前後に前飾りベルト及び後飾りベルトを設けると共に、連結紐の一端をサイドクラウンに固定し他端にクリップを設けて、この連結紐を上記前飾りベルトの内側に収納し、ブリム又はサイドクラウンに設けた紐通し穴から帽子下面へ上記連結紐を引き出し可能としたものである。こうすることにより、強風時などには連結紐を取り出し、紐通し穴を通して連結紐を帽子下面に引き出し、先端のクリップを被服の襟などに連結すれば、風に煽られて帽子が脱落しても、遠くに吹き飛ばされることがないという優れた効果を期待できるとされている。
【０００４】
特許文献２には、帽子着用時に強風でも飛ばされない着脱自由なあごひもが提案されている。このあごひもは、所定長さのあごひもの中間部に、ひもの長さを調節するためのストッパーを設け、あごひもの両端にクリップ式とめ具を着脱可能に取り付けた帽子用のワンタッチ式あごひもである。このあごひもを設けることにより、強風でもあごの所のストッパー部分でしっかりとめられるので、帽子が飛び落ちることがないというものである。
【０００５】
特許文献３には、緩やかに冠っても、風などによって飛ばされることや、不用意に脱げることがなく、優れたファッション性を備えた帽子が提案されている。この帽子は、その本体部の少なくとも１箇所、望ましくは２箇所に、髪クリップの挟み嘴を挿通し得る貫通孔を設けており、その貫通孔の形状は、特に限定されないが、一文字、丸、長円、楕円、半円、半楕円、各種の三角形、その他の形状とされ、その貫通孔を設ける位置も特に限定されず、鍔裏のある部分で、真横より後寄りに設けることができるというものである。
【先行技術文献】
【特許文献】
【０００６】
【特許文献１】特開２００２−３０２８２３号公報
【特許文献２】特開２００９−１３３０４５号公報
【特許文献３】特開２００８−３０８７６９号公報
【考案の概要】
【考案が解決しようとする課題】
【０００７】
上記先行技術文献に記載のように、帽子を被っての散歩途中等において、帽子が風で飛ばされないようにした帽子が幾つか提案されている。しかし、特許文献１，２のようにあご紐やフックで帽子の吹き飛びを防止する手段では、帽子装着時のファッション性があご紐やフックで阻害されておしゃれでなくなってしまう場合がある。髪クリップで帽子が吹き飛ばされないとした特許文献３には、具体的な実施形態の記載が全くなく、開示された発明とはいえない。さらに、髪クリップで吹き飛びを防止した帽子は市場に存在していない。
【０００８】
本考案は、上記課題を解決したものであって、その目的は、帽子を被っての散歩途中等において、帽子が風で飛ばされないようにした帽子を提供することにある。
【課題を解決するための手段】
【０００９】
本考案に係る帽子は、本体部と、該本体部に必要に応じて設けられた鍔又は庇とを有する帽子であって、前記本体部の左側面及び右側面に設けられて、髪クリップが係止された状態で該髪クリップが前記本体部の表面から前記本体部の裏面に貫通する貫通スリットと、前記貫通スリット又はその周縁に設けられて、前記髪クリップを係止する髪クリップ係止部と、を有する、ことを特徴とする。
【００１０】
この考案によれば、本体部の左側面及び右側面に設けられる貫通スリットと、貫通スリット又はその周縁に設けられる髪クリップ係止部とを有するので、髪クリップは、髪クリップ係止部と髪とを挟むことができる。その結果、髪クリップは帽子と髪とを確実に固定でき、帽子を被っての散歩途中等において、帽子装着時のファッション性を保持したままで、帽子が風で飛ばされないようにすることができる。特に左右に貫通スリットを有するので、左右から髪クリップが髪を挟むことができる。その結果、帽子装着時のファッション性を保持したままで、髪クリップは確実に髪と帽子とを固定できる。
【００１１】
本考案に係る帽子において、前記髪クリップ係止部は、前記貫通スリットに隣接して又は前記貫通スリットを横断して設けられている。
【００１２】
この考案によれば、貫通スリットに隣接して又は貫通スリットを横断して髪クリップ係止部が設けられているので、髪クリップが髪と髪クリップ係止部とを確実に挟むことができ、帽子と髪とを確実に固定できる。
【００１３】
本考案に係る帽子において、前記貫通スリットは、前記本体部の頂部から前後方向仮想線と左右方向仮想線とを直交させた場合、前記左右方向仮想線から前方に０°〜４５°の範囲内に設けられ、且つ、前記頂部から前記鍔又は庇の方向に４５°〜９０°の範囲内に設けられ、前記貫通スリットは、左右対称に設けられている。
【００１４】
この考案によれば、貫通スリットが上記範囲内の位置にあるので、髪クリップが、頭部の頂部から離れた下寄りの位置となり、且つ、頭部の前寄りの位置となる。その結果、帽子は頭部でより安定し、前方や左右からの風によって飛ばされにくい。左右対称に設けられている貫通スリットを有するので、髪と帽子との固定状態を左右同じにでき、さらに、左右の貫通スリットの間に所定の間隔を有し、所定の間隔を有する左右両方の貫通スリットで髪クリップが髪を挟むことができる。その結果、髪クリップは確実に帽子と髪とを固定できる。
【００１５】
本考案に係る帽子において、前記髪クリップ係止部は、前記本体部の生地よりも厚い生地からなり、該厚い生地からなる髪クリップ係止部の範囲は、前記貫通スリットの２〜５倍の面積で構成されている。
【００１６】
この考案によれば、髪クリップ係止部の生地が、本体部の生地よりも厚いと共に髪クリップ係止部が上記所定範囲内の面積になっているので、髪クリップが髪クリップ係止部と髪とをしっかりと挟むことができ、髪クリップが髪クリップ係止部と髪とを挟んだとき、髪クリップ係止部の生地だけがよじれることがない。このような髪クリップ係止部を有するので、髪クリップを髪クリップ係止部に係止した後に、髪クリップの位置をずらしても、髪クリップ係止部の生地だけがよじれることがない。こうしたことにより、風が吹いたときにも、髪クリップ係止部の生地だけがよじれることなく、髪クリップはさらに確実に帽子と髪とを固定できる。
【考案の効果】
【００１７】
本考案によれば、帽子を被っての散歩途中等において、帽子が風で飛ばされないようにした帽子を提供することができる。
【図面の簡単な説明】
【００１８】
【図１】本考案に係る帽子の一例を示す概略６面図である。
【図２】貫通スリットの一例を示す概略図である。（Ａ）は正面図であり、（Ｂ）は断面図である。
【図３】貫通スリットに髪クリップ係止部が設けられている例を示す説明図である。（Ａ）は貫通スリットに隣接した態様であり、（Ｂ）は貫通スリットを横断した態様である。
【図４】帽子が有する貫通スリットの位置の説明図である。（Ａ）は平面図であり、（Ｂ）は正面図である。
【図５】髪クリップ係止部の例を示す説明図である。（Ａ）は貫通スリットに隣接する態様であり、（Ｂ）は貫通スリットを横断する態様である。
【図６】髪クリップの例を示す概略図である。
【図７】髪クリップを用いて髪と帽子とを固定している例を示す概略図である。（Ａ）は髪クリップ係止部が貫通スリットに隣接した態様であり、（Ｂ）は髪クリップ係止部が貫通スリットを横断した態様である。
【図８】髪クリップを帽子に固定している帽子全体の例を示す概略図である。
【考案を実施するための形態】
【００１９】
本考案に係る帽子について図面を参照しつつ説明する。本考案の範囲は、その要旨を有すれば以下で説明する実施形態に限定されない。
【００２０】
本考案に係る帽子１０は、本体部１と、該本体部１に必要に応じて設けられた鍔又は庇（以下、「鍔等４」で表す。）とを有する帽子１０である。そして、その特徴は、本体部１の左側面及び右側面に設けられて、髪クリップ２０が係止された状態で該髪クリップ２０が本体部１の表面から本体部１の裏面に貫通する貫通スリット２と、貫通スリット２又はその周縁に設けられて、髪クリップ２０を係止する髪クリップ係止部３と、を有する。
【００２１】
こうした帽子１０は、本体部１の左側面及び右側面に設けられる貫通スリット２と、貫通スリット２又はその周縁に設けられる髪クリップ係止部３とを有するので、髪クリップ２０は、髪クリップ係止部３と髪とを挟むことができる。その結果、髪クリップ２０は帽子１０と髪とを確実に固定でき、帽子１０を被っての散歩途中等において、帽子装着時のファッション性を保持したままで、帽子１０が風で飛ばされないようにすることができる。さらに、この帽子１０は、特に左右に貫通スリット２を有するので、左右から髪クリップ２０が髪を挟むことができる。その結果、帽子装着時のファッション性を保持したままで、髪クリップ２０は確実に髪と帽子１０とを固定できる。
【００２２】
以下、各構成要素について説明する。
【００２３】
（帽子）
帽子１０は、散歩等の外出用に使われるものであれば、特に限定されない、帽子１０の形状も、特に限定されず、種々の形状とすることができる。例えば、ピクチュアハット、ストローハット、フェルトハット、ビーチハット、クロッシェ、ベレー帽、キャスケット、ハンチング、ニット帽、キャップ、スキマー、ブルトン、キャプリーヌ、キャノティエ、マッシュルーム等の帽子とすることができる。帽子１０の材質は、天然繊維（綿、麻）や合成繊維の布、天然繊維（ウール、カシミヤ）や合成繊維のニット、本革や合成皮革等のように、帽子に通常用いられる素材とすることができる。帽子１０の本体部１や鍔等４は、リボンや花飾り等の装飾が設けられていてもよく、本体部１の全部又は一部がメッシュ状になっていてもよい。帽子１０は、鍔又は庇がないものも含まれ、男女に限らず使用されるものも含まれる。
【００２４】
（本体部）
本体部１は、図１に示すように、頭部を覆う部分であり、頭に被せる側には開口部５がある。帽子１０を正面から見て、手前側の先頭面Ｆと先頭面Ｆの奥側で先頭面Ｆと向かい合う後頭面Ｂと左側の左側面Ｌと右側であって左側面Ｌと向かい合う右側面Ｒとを有し、さらに、帽子１０を底面から見て、先頭面Ｆと後頭面Ｂと左側面Ｌと右側面Ｒとで囲まれる手前側の開口部５と開口部５の奥側で開口部５と向かい合う頂部Ｔとを有する。
【００２５】
本体部１の形状は、帽子１０の特徴に応じた種々の形状とすることができ、通常は、半球状や筒状等が多いがそれらに限定されず、頂部Ｔの面積を狭くした略円錐形状や略四角錐形状であってもよい。本体部１の材質は、上記の例の帽子１０として使用される材質と同じである。本体部１は、帽子１０の一般的な製造方法で製造される。
【００２６】
開口部５の大きさは特に限定されないが、頭の大きさに応じてサイズ分けされているものであってもよい。開口部５の形状は、その多くは円形又は略円形である。本体部１の開口部５に頭部の一部を挿入して頭部に帽子１０を被せることで帽子１０が頭部に装着される。
【００２７】
鍔等４は、開口部５の外縁に一体又は別体で連続して接続されていると共に、その外縁から外側に延びるように設けられている。鍔等４は、開口部５の外縁の全周から延びるものであってもよいし、外縁の一部から延びるものであってもよい。鍔等４が開口部５の外縁の全周から延びる場合、鍔等４は、中央又は略中央に開口部５を有する円形又は略円形の板状とすることができる。鍔等４が開口部５の外縁の一部から延びる場合、鍔等４は、三日月形又は略三日月形の板状であり、三日月形又は略三日月形の欠けている部分で開口部５と接しているようにすることができる。鍔等４の材質は、帽子１０の本体部１の材質と同じ材質にしてもよいし、異なる材質にしてもよい。鍔等４は、帽子１０の一般的な製造方法で製造されて、本体部１に取り付けられる。
【００２８】
（貫通スリット）
貫通スリット２は、本体部１の左側面及び右側面に設けられている。このような態様により、左右から髪クリップ２０が髪を挟むことができる。その結果、帽子装着時のファッション性を保持したままで、髪クリップ２０は確実に髪と帽子とを固定できる。
【００２９】
貫通スリット２は、頭部に帽子１０を被せた状態では、頭部の頂部から離れた下寄りの位置で、且つ、頭部の前寄りの位置に設けられている。具体的には、貫通スリット２は、図４（Ａ）（Ｂ）に示すように、本体部１の頂部Ｔから前後方向仮想線ＦＣ−ＢＣと左右方向仮想線ＬＣ−ＲＣとを直交させた場合、左右方向仮想線ＬＣ−ＲＣから前方に０°〜４５°の範囲内（θ１）に設けられ、且つ、頂部Ｔから鍔等４の方向に４５°〜９０°の範囲内（θ２）に設けられていることが好ましい。貫通スリット２が上記範囲内の位置に設けられているので、帽子１０は頭部でより安定し、前方や左右からの風によって飛ばされにくい。なお、貫通スリット２は、２つ以上設けられていてもよいし、装飾を兼ねて多数設けられていてもよいし、一列又は多数列に設けられていてもよい。貫通スリット２は、帽子１０に幅広いリボンが設けられているときは、リボンのデザインに応じて位置を変更してもよく、リボンや鍔裏を含めて貫通するように設けられていてもよい。
【００３０】
貫通スリット２は、本体部１の左側面Ｌに１つ、右側面Ｒに１つ、左右対称で合計２つ設けられていることが好ましい。貫通スリット２が、左右対称に設けられているので、髪と帽子１０との固定状態を左右同じにでき、さらに、左右の貫通スリット２の間に所定の間隔を有し、所定の間隔を有する左右両方の貫通スリット２で髪クリップ２０が髪を挟むことができる。その結果、髪クリップは確実に帽子と髪とを固定できる。
【００３１】
貫通スリット２は、図２に示すように、本体部１の外側の表面Ｓ１から内側の裏面Ｓ２に貫通する切れ込み又は貫通孔である。貫通スリット２は、後述する髪クリップ２０の第１の髪挟み部２０１及び第２の髪挟み部２０２が挿入できる程度の開口を有している。
【００３２】
貫通スリット２の大きさは特に限定されないが、図３に示すように、例えば、長さＬｓが５〜１０ｍｍで幅Ｄｓが２〜５ｍｍの範囲内の細長い形状とすることができる。貫通スリット２は、スリット以外の形状として設けられていてもよく、丸、長円、楕円、半円、半楕円、各種の三角形、Ｄ字型等であってもよい。貫通スリット２は、帽子１０の本体部１の一部を所定範囲の面積で切り抜くことにより設けることができる。なお、貫通スリット２は、本体部１の一部に切れ込みを入れて設けられていてもよい。
【００３３】
こうした態様で貫通スリット２が設けられているので、貫通スリット２から髪クリップ２０を挿入でき、髪クリップ２０が係止された状態で髪クリップ２０が本体部１の表面から本体部１の裏面に貫通できる。その結果、髪クリップ２０が、帽子１０と髪とを挟むことができ、髪クリップ２０が、帽子１０と髪とを固定できる。
【００３４】
貫通スリット２の周縁には、スリット補強部材８が設けられていることが好ましい。スリット補強部材８は、貫通スリット２を補強するためのものである。なお、貫通スリット２の周縁には、一体的にかがりつけを設けて補強してもよいし、プラスチック製のハトメ、金属製のハトメ又は接着芯等によりほつれないように仕上げて補強してもよい。なお、この貫通スリット２の周縁には、髪クリップ２０を挿入しない場合にも、美観を保てるよう刺繍やアップリケ等の装飾が設けられていたり、貫通スリット２を塞ぐフラップが設けられたりしてもよい。
【００３５】
（髪クリップ係止部）
髪クリップ係止部３は、貫通スリット２に隣接して又は貫通スリット２を横断して設けられている。こうした態様で髪クリップ係止部３が設けられているので、髪クリップ２０が、髪と髪クリップ係止部３とを挟むことができ、髪クリップ２０が、帽子１０と髪とを固定できる。
【００３６】
髪クリップ係止部３が貫通スリット２に隣接して設けられている場合では、髪クリップ係止部３は、貫通スリット２の形状を拡大した略長方形状であり、特に限定されないが、例えば、貫通スリット２の２〜５倍の大きさであることが望ましい。髪クリップ係止部３は、図５（Ａ）に示すような係止開口部３３を有する。係止開口部３３は、髪クリップ係止部３の中央又は略中央に設けられており、貫通スリット２の相似形状で、貫通スリット２の大きさと同じか若干大きい略長方形状で切り抜かれている。係止開口部３３には、後述する髪クリップ２０の第１の髪挟み部２０１及び第２の髪挟み部２０２を挿入できる。なお、髪クリップ係止部３は、上記貫通スリット２の周縁に設けられているスリット補強部材８と一体としてもよい。
【００３７】
髪クリップ係止部３が貫通スリット２に横断して設けられている場合では、図５（Ｂ）に示すように、髪クリップ係止部３は、紐状係止部３１及び係止部補強部材３２を有する。紐状係止部３１は、縦長の紐状である。紐状係止部３１の長さＬｃは、特に限定されないが、例えば、貫通スリット２の長さＬｓ（５〜１０ｍｍ）の１．５〜２倍であることが望ましい。紐状係止部３１の長さＬｃは、後述する係止開口部３３の長手方向の長さよりも長くすることが望ましい。また、紐状係止部３１の幅Ｄｃも、特に限定されないが、例えば、１〜５ｍｍであることが望ましい。
【００３８】
係止部補強部材３２は、貫通スリット２の形状を拡大した長方形状又は略長方形状であり、特に限定されないが、例えば、貫通スリット２の２〜５倍の大きさであることが望ましい。係止部補強部材３２は、図５（Ｂ）に示すような係止開口部３３を有する。係止開口部３３は、係止部補強部材３２の中央又は略中央に設けられており、貫通スリット２の相似形状で、貫通スリット２の大きさと同じか若干大きい略長方形状で切り抜かれている。係止開口部３３には、後述する髪クリップ２０の第１の髪挟み部２０１及び第２の髪挟み部２０２を挿入できる。
【００３９】
紐状係止部３１は、係止開口部３３の長手方向と、紐状係止部３１の長手方向とが一致するように係止開口部３３にまたがって配置され、且つ、係止開口部３３の幅方向の中央又は略中央に配置されていることが好ましい。
【００４０】
紐状係止部３１が、上記所定範囲の大きさを有し、上記所定位置に配置されているので、係止部補強部材３２が、紐状係止部３１の長手方向の両端を支持することができる。紐状係止部３１の長手方向の両端は、係止部補強部材３２に、縫い付けや接着等帽子の製造工程で一般的に用いられる方法で固定されている。なお、紐状係止部３１は、係止部補強部材３２と一体としてもよく、紐状係止部３１、係止部補強部材３２及びスリット補強部材８を一体としてもよい。
【００４１】
髪クリップ係止部３の係止開口部３３は、図３（Ａ）（Ｂ）に示すように、本体部１の貫通スリット２と重複するように設けられている。髪クリップ係止部３の係止開口部３３は、図示はしていないが、その内側に本体部１の貫通スリット２を設けられていてもよい。髪クリップ係止部３の係止開口部３３が、上記位置に設けられていることで、髪クリップ２０が貫通スリット２から髪クリップ係止部３の係止開口部３３を通過して、帽子１０の本体部１の内側に挿入できる。このような態様により、髪クリップ２０が、髪と髪クリップ係止部３とを挟むことができ、髪クリップ２０は帽子１０と髪とを確実に固定できる。
【００４２】
髪クリップ係止部３は、帽子装着時のファッション性を保持するため、本体部の裏面Ｓ２に設けられている。髪クリップ係止部３の本体部１への固定は、縫い付けや接着等帽子の製造工程で一般的に用いられる方法で行うことができる。なお、髪クリップ係止部３は、本体部の表面Ｓ１に設けられていてもよく、表面Ｓ１及び裏面Ｓ２の両方に設けられていてもよい。
【００４３】
髪クリップ係止部３は、本体部１の生地よりも厚い生地からなり、該厚い生地からなる髪クリップ係止部３の範囲は、貫通スリット２の２〜５倍の面積で構成されている。
【００４４】
髪クリップ係止部３の生地が、本体部１の生地よりも厚いと共に髪クリップ係止部３が上記所定範囲内の面積になっているので、髪クリップ２０が髪クリップ係止部３と髪とをしっかりと挟むことができ、さらに髪クリップ２０が髪クリップ係止部３と髪とを挟んだ場合に髪クリップ係止部３の生地だけがよじれることがない。このような髪クリップ係止部３を有するので、髪クリップ２０を髪クリップ係止部３に係止した後に、髪クリップ２０の位置をずらした場合でも、髪クリップ係止部３の生地だけがよじれることがない。こうしたことにより、風が吹いたときにも、髪クリップ係止部３の生地だけがよじれることなく、髪クリップ２０はさらに確実に帽子１０と髪とを固定できる。
【００４５】
髪クリップ係止部３は、特に限定されないが、例えば、本体部１の生地の厚さの２〜５倍にすることが望ましい。髪クリップ係止部３の生地の厚さが本体部１の生地の厚さの２倍より小さいと、髪クリップ係止部３に髪クリップ２０を係止した場合に、髪クリップ係止部３の生地がよじれて帽子１０が髪にしっかりと固定できないことがある。髪クリップ係止部３の生地の厚さが本体部１の生地の厚さの５倍より大きいと、髪クリップ係止部３に髪クリップ２０を係止した場合に、髪クリップ係止部３の生地はよじれないが、頭部に違和感が生じたり、髪クリップ係止部３が帽子１０の本体部１の形を崩したりして、帽子装着時のファッション性が保持できないことがある。
【００４６】
髪クリップ係止部３の範囲は、貫通スリット２の２〜５倍の面積にすることが望ましい。髪クリップ係止部３の面積が貫通スリット２の２倍より小さいと、髪クリップ係止部３の生地の厚さを上記範囲にしても、髪クリップ係止部３に髪クリップ２０を係止した場合に、上記と同様に生地がよじれて帽子１０が髪にしっかりと固定できないことがある。髪クリップ係止部３の面積が貫通スリット２の５倍より大きいと、髪クリップ係止部３の生地の厚さを上記範囲にすると、髪クリップ係止部３に髪クリップ２０を係止した場合に、生地は上記のようによじれないが、頭部に違和感が生じたり、髪クリップ係止部３が帽子１０の本体部１の形を崩したりして、帽子装着時のファッション性が保持できないことがある。
【００４７】
なお、髪クリップ係止部３の材質は、帽子１０の本体部１の生地と比べて強度がある材質としてもよい。例えば、プラスチック等の合成樹脂、ゴム、金属等の帽子の補強として通常用いられる材質であればよい。髪クリップ２０が髪クリップ係止部３から滑って移動しないようにするため、髪クリップ係止部３は摩擦力の高い材質としてもよい。こうした髪クリップ係止部３は、本体部１の補強効果や髪クリップ２０の滑り止めの効果を有するため、髪クリップ２０が、より確実に帽子１０と髪とを固定できる。
【００４８】
（髪クリップ）
髪クリップ２０は、本発明の構成要素ではないが、本発明の帽子１０を髪に固定するために用いられる。こうした髪クリップ２０は、図６（Ａ）に示すように、一対の髪挟み具として設けられた第１の髪挟み部２０１と第２の髪挟み部２０２とを有している。第１の髪挟み部２０１と第２の髪挟み部２０２とは、それぞれの端部近傍で支持部２０３で結合されている。第１の髪挟み部２０１と第２の髪挟み部２０２とは同じ方向に湾曲している。髪クリップ２０は、第１の髪挟み部２０１と第２の髪挟み部２０２とが弾性力により閉じられており、第１の髪挟み部２０１と第２の髪挟み部２０２とが接触している。第２の髪挟み部２０２の湾曲を反対にする方向に力を加えて、第２の髪挟み部２０２の湾曲を反対にすると、第１の髪挟み部２０１と第２の髪挟み部２０２との接触が解除されて髪クリップ２０が開く。第１の髪挟み部２０１と第２の髪挟み部２０２との間に髪を通し、第２の髪挟み部２０２の湾曲をもとに戻すと、第１の髪挟み部２０１と第２の髪挟み部２０２とで髪が挟まれて髪クリップ２０が髪に固定される。髪クリップ２０の第１の髪挟み部２０１及び第２の髪挟み部２０２は、貫通スリット２に挿入できる形状である。髪クリップ２０の材質は、一般的に弾性力のある金属、例えば、鉄やステンレスであればよい。髪クリップ２０は、一般的な金属加工方法、例えば、プレス加工で製造される。
【００４９】
髪クリップ２１は、図６（Ｂ）に示すように、第１の髪挟み部２１１と第２の髪挟み部２１２とが湾曲していない形状であってもよい。第１の髪挟み部２１１と第２の髪挟み部２１２とは、それぞれの端部近傍で支持部２１３で結合されている。髪クリップ２１は、第１の髪挟み部２１１と第２の髪挟み部２１２とが弾性力により閉じられており、第１の髪挟み部２１１と第２の髪挟み部２１２とが接触している。支持部２１３の反対側の第１の髪挟み部２１１及び第２の髪挟み部２１２の端部は、お互いが接触していない。髪が第１の髪挟み部２１１と第２の髪挟み部２１２との接触していない側の端部の空間に通された後、髪クリップ２１を髪に対して交差する方向にスライドさせる。こうすることで、髪が第１の髪挟み部２１１と第２の髪挟み部２１２との間に入り込み、髪クリップ２１が髪に固定される。髪クリップ２１の第１の髪挟み部２１１及び第２の髪挟み部２１２は、貫通スリット２に挿入できる形状である。髪クリップ２１の材質は、一般的に弾性力のある金属、例えば、鉄やステンレスであればよい。髪クリップ２１は、一般的な金属加工方法、例えば、プレス加工で製造される。
【００５０】
なお、装飾部材が、髪クリップ２０の第１の髪挟み部２０１又は第２の髪挟み部２０２の一方に設けられていてもよい。装飾部材が、髪クリップ２１の第１の髪挟み部２１１又は第２の髪挟み部２１２の一方に設けられていてもよい。
【００５１】
（装着形態）
髪クリップ係止部３が貫通スリット２に隣接して設けられている場合では、図７（Ａ）に示すように、貫通スリット２に髪クリップ２０の第１の髪挟み部２０１が挿入され、髪クリップ２０が、第１の髪挟み部２０１と第２の髪挟み部２０２との間で、髪クリップ係止部３と髪とを挟んでいる。第２の髪挟み部２０２は、本体部の表面Ｓ１側となっている。このように、髪クリップ２０が髪と髪クリップ係止部３とを挟んで、髪クリップ２０が帽子１０と髪とを固定できる。
【００５２】
髪クリップ係止部３が貫通スリット２を横断して設けられている場合では、図７（Ｂ）に示すように、貫通スリット２に髪クリップ２０の第１の髪挟み部２０１及び第２の髪挟み部２０２が挿入され、髪クリップ２０が、髪クリップ２０の第１の髪挟み部２０１と第２の髪挟み部２０２との間で、髪クリップ係止部３と髪とを挟んでいる。髪クリップ２０の第１の髪挟み部２０１及び第２の髪挟み部２０２は、本体部の裏面Ｓ２側となっている。このように、髪クリップ２０が髪と髪クリップ係止部３とを挟んで、髪クリップ２０が帽子１０と髪とを固定できる。このような態様により、髪クリップ２０は、図７（Ｂ）及び図８に示すように、帽子１０の外側に露出する部分が少なくなるので、帽子１０のファッション性が保持できる。なお、髪クリップ２０は水平ではなく、やや傾けて装着してもよい。
【符号の説明】
【００５３】
１  本体部
２  貫通スリット
３  髪クリップ係止部
４  鍔等
５  開口部
８  スリット補強部材
１０  帽子
２０，２１  髪クリップ
３１  紐状係止部
３２  係止部補強部材
３３  係止開口部
２０１，２１１  第１の髪挟み部
２０２，２１２  第２の髪挟み部
２０３，２１３  支持部
Ｓ１  本体部の表面
Ｓ２  本体部の裏面
Ｌ  左側面
Ｒ  右側面
Ｆ  先頭面
Ｂ  後頭面
Ｔ  頂部
ＦＣ−ＢＣ線  前後方向仮想線
ＬＣ−ＲＣ線  左右方向仮想線
θ１  左右方向仮想線からの前方角度
θ２  頂部から鍔方向の角度
Ｌｓ  貫通スリットの長さ
Ｄｓ  貫通スリットの幅
Ｌｃ  紐状係止部の長さ
Ｄｃ  紐状係止部の幅
【図１】
0003226214.tif 000003
【図２】
0003226214.tif 000004
【図３】
0003226214.tif 000005
【図４】
0003226214.tif 000006
【図５】
0003226214.tif 000007
【図６】
0003226214.tif 000008
【図７】
0003226214.tif 000009
【図８】
0003226214.tif 000010